(57)【要約】【課題】使用者が不快感を覚えにくく、使用者の利便性を高めることができる保護衣料を提供する。【解決手段】伸縮可能な本体部１と、本体部１の左右両端それぞれに設けられて互いに接合可能な接合部材２と、を有する。本体部１は、第１領域１１と、伸縮可能であるとともに第１領域１１の上端の少なくとも一部と接続する第２領域１２とを有する。接合部材２を使用者Ｕｓの顔Ｆｃまたは首Ｎｃの背後で接合した状態で、本体部１１の少なくとも第２領域１２の一部を鼻Ｎｓの上方に位置させるとともに第１領域１１の少なくとも一部で口Ｍｔおよび鼻Ｎｓの前方を覆った第１状態Ｓｔ１と、本体部１１を首Ｎｃに位置させた第２状態Ｓｔ２とに状態変更が可能である。【選択図】図１
2020193394.tif 000002
【特許請求の範囲】
【請求項１】
使用者の口および鼻の前面を覆うことができる本体部と、
前記本体部の左右両端それぞれに設けられて互いに接合可能な接合部材と、を備え、
前記本体部は、
第１領域と、
伸縮可能であるとともに前記第１領域の上端の少なくとも一部と接続する第２領域と、を有し、
前記接合部材を使用者の顔または首の背後で接合した状態で、前記本体部の少なくとも第２領域の一部を前記鼻の上方に位置させるとともに前記第１領域の少なくとも一部を前記口および前記鼻の前方に位置させた第１状態と、前記本体部を前記首に位置させた第２状態とに状態変更が可能である保護衣料。
【請求項２】
前記第１領域は伸縮性を有し、
前記第２領域の弾性率は前記第１領域の弾性率よりも大きい請求項１に記載の保護衣料。
【請求項３】
前記本体部は、伸縮可能であるとともに前記第１領域の下端に接続する第３領域を有する請求項１または請求項２に記載の保護衣料。
【請求項４】
前記本体部は、伸縮可能であるとともに前記第１領域の下端に接続する第３領域を有し、
前記第３領域の弾性率は、前記第１領域の弾性率よりも大きい請求項２に記載の保護衣料。
【請求項５】
前記第１領域と前記第３領域とは一体的に形成される請求項３または請求項４に記載の保護衣料。
【請求項６】
前記第１領域と前記第２領域とは一体的に形成される請求項１から請求項５のいずれかに記載の保護衣料。
【請求項７】
前記第２領域の上端および下端は、左右それぞれの両端で合流する請求項１から請求項６のいずれかに記載の保護衣料。
【請求項８】
前記第１領域の背面の左右方向における中央部分には、当て部材を取り付け可能な取付部を有する請求項１から請求項７のいずれかに記載の保護衣料。
【請求項９】
前記取付部は、前記当て部材の周囲の少なくとも一部を収納可能な収納部を有する請求項８に記載の保護衣料。
【請求項１０】
前記当て部材は、
左右両端部の上下縁部からそれぞれ上下に凹む係合凹部を有し、
前記取付部は、
弾性変形可能であるとともに、左右に設けられた前記係合凹部とそれぞれ係合可能であるとともに弾性変形可能な一対の保持部を有する請求項８に記載の保護衣料。
【請求項１１】
前記凹部の少なくとも一方の先端には、保持部の上下長さよりも長い係合部を備える請求項１０に記載の保護衣料。
【請求項１２】
前記接合部材は、面ファスナである請求項１から請求項１１のいずれかに記載の保護衣料。
【発明の詳細な説明】
【技術分野】
【０００１】
本発明は、顔および首を覆うことができる保護衣料に関する。
【背景技術】
【０００２】
従来、塵、埃、細菌等の異物の口または鼻からの侵入を抑制するために口および鼻を覆うマスクが用いられている。このようなマスクは、不織布等で形成されたフィルタ材と、伸縮性を有するとともにループ状にフィルタ材に取り付けられた固定紐とを有する。そして、フィルタ材で口および鼻を含む顔面の下部を覆うとともに、固定紐を耳に引っ掛けることで、マスクを装着している。
【０００３】
従来のマスクでは固定紐が細く耳が痛くなる場合が多い。これに対して、例えば、特開２００８−１２５６５７号公報に記載のマスクには、口および鼻を覆う覆い部に取り付けられたシート状の耳掛け部を有している。このような、シート状の耳掛け部を有することで、マスクを装着したときに、張力を緩和することで耳への負担を低減しつつ、覆い部で口および鼻をしっかりと覆うことができる。
【先行技術文献】
【特許文献】
【０００４】
【特許文献１】特開２００８−１２５６５７号公報
【発明の概要】
【発明が解決しようとする課題】
【０００５】
特開２００８−１２５６５７号公報等に記載のマスクでは、耳掛け部をシート状とすることで、耳への負担を減らすことができるが、引っ掛ける性質上耳への負担はある。そのため、長時間装着することで、使用者の不快感が高まる虞がある。また、居室内に移動したとき等にマスクを取り外したとき、取り外したマスクを保管する必要があり、手間がかかるとともにマスクを忘れる虞もある。
【０００６】
そこで本発明は、使用者が不快感を覚えにくく、使用者の利便性を高めることができる保護衣料を提供することを目的とする。
【課題を解決するための手段】
【０００７】
上記目的を達成するため本発明にかかる保護衣料は、使用者の口および鼻の前面を覆うことができる本体部と、前記本体部の左右両端それぞれに設けられて互いに接合可能な接合部材と、を有する。前記本体部は、第１領域と、伸縮可能であるとともに前記第１領域の上端の少なくとも一部と接続する第２領域と、を有する。前記接合部材を使用者の顔または首の背後で接合した状態で、前記本体部の少なくとも第２領域の一部を前記鼻の上方に位置させるとともに前記第１領域の少なくとも一部を前記口および前記鼻の前方に位置させた第１状態と、前記本体部を前記首に位置させた第２状態とに状態変更が可能であることを特徴とする。
【０００８】
このような構成とすることで、本発明にかかる保護衣料は、装着したまま、口および鼻の前面を覆う第１状態と、首の周りに巻きまわした第２状態とに状態変更が可能である。これにより、保護衣料は、使用者の必要に応じて第１状態にしてサージカルマスクあるいは日よけマスクと、首に巻きつけてネックウォーマあるいはアスコットタイとを容易に使い分けることができる。これにより、使用者の利便性を高めることができる。
【０００９】
上記構成において、第１領域は伸縮性を有し、前記第２領域の弾性率は前記第１領域の弾性率よりも大きい。このようにすることで、第１領域を顔に沿って配置させることができるとともに、第２領域が形成された本体部上端部を鼻の上部にしっかり配置させてずれを抑制できる。
【００１０】
上記構成において、前記第２領域の上端および下端は、左右それぞれの両端で合流する構成であってもよい。このように構成することで、第２領域の伸縮性を中央部と左右両端部とで変更することができる。これにより、使用者の顔または首に装着したときの装着感を高めることができる。
【００１１】
上記構成において、前記本体部は、伸縮可能であるとともに前記第１領域の下端に接続する第３領域を有してもよい。
【００１２】
上記構成において、前記第３領域の弾性率は、前記第１領域の弾性率よりも大きくてもよい。このように構成することで、第３領域を使用者の顎よりも下方に配置したとき、本体部の下端部の上方への移動を抑制できる。これにより、使用者が保護衣料を第１状態で使用しているときに、確実に口および鼻を覆うことができる。
【００１３】
上記構成において、前記第１領域と前記第２領域とは一体的に形成されてもよい。第１領域と第２領域とを一体的に形成することで、本体部の製造が容易である。
【００１４】
上記構成において、前記第１領域と前記第３領域とは一体的に形成されてもよい。第１領域と第３領域とを一体的に形成することで、本体部の製造が容易である。
【００１５】
上記構成において、前記第１領域の左右方向における中央部分には、当て部材を取り付け可能な取付部を有してもよい。当て部材を容易に取り換えることができる。これにより、口および鼻を覆う部分の衛生状態を高く維持できる。これにより、使用者の利便性を高めることができる。
【００１６】
上記構成において、前記取付部は、前記当て部材の周囲の少なくとも一部を収納可能な収納部を有してもよい。このように構成することで、当て部材の着脱が容易であり、使用者の利便性をさらに高めることが可能である。
【００１７】
上記構成において、前記接合部材は、面ファスナであってもよい。このようにすることで、接合部材で本体部の顔および（または）首への取り付け状態を調整できるため、顔や首の大きさにかかわらず装着が可能である。これにより、使用者の利便性をさらに高めることが可能である。なお、接合部材としては、面ファスナに限定されず、スナップボタン、カギフック等であってもよい。
【発明の効果】
【００１８】
本発明によると、使用時に保護衣料の一部を耳にひっかけなくてもよい。これにより、耳への負担をなくし、使用者が不快感を覚えにくい。
【００１９】
また、本発明によると、口および鼻を覆う保護衣料として使用できるとともに、首の回りに巻きまわす首巻としても利用可能とすることで、使用者が必要なときにマスクとして使用し、マスクが必要ではないときに首巻として使用できる。これにより、使用者の利便性を高めることが可能である。
【００２０】
また、口および鼻と当接する当て部を容易に取り換えることができることで、衛生状態を高めることが可能である。このことからも、使用者が不快感を覚えにくく、使用者の利便性を高めることが可能である。
【図面の簡単な説明】
【００２１】
【図１】図１は、本発明にかかる保護衣料の一例の前面図である。
【図２】図２は、本発明にかかる保護衣料の一例の背面図である。
【図３】図３は、保護衣料を取り付ける前の状態の使用者を前方から見た図である。
【図４】図４は、保護衣料を第１状態で取り付けている状態の使用者を前から見た図である。
【図５】図５は、図４に示す状態における使用者を後ろから見た図である。
【図６】図６は、保護衣料を第２状態で取り付けている状態の使用者を前から見た図である。
【図７】図７は、本発明にかかる変形例にかかる保護衣料の背面図である。
【図８】図８は、本発明にかかる保護衣料の変形例の背面図である。
【図９】図９は、当て部材を保護衣料に取り付けている状態を示す背面図である。
【図１０】図１０は、当て部材のさらに他の例を示す図である。
【発明を実施するための形態】
【００２２】
本発明の実施形態を図面を参照して説明する。図１は、本発明にかかる保護衣料Ａの一例の前面図である。図２は、本発明にかかる保護衣料Ａの一例の背面図である。図３は、保護衣料Ａを取り付ける前の状態の使用者Ｕｓを前方から見た図である。図４は、保護衣料Ａを第１状態Ｓｔ１で取り付けている状態の使用者Ｕｓを前から見た図である。図５は、図４に示す状態における使用者Ｕｓを後ろから見た図である。図６は、保護衣料Ａを第２状態Ｓｔ２で取り付けている状態の使用者Ｕｓを前から見た図である。図２に示す保護衣料Ａでは、本体部１の背面に対する当て部材３の着脱状態を模式的に示している。
【００２３】
図４に示すように、本実施形態にかかる保護衣料Ａは、使用者Ｕｓの顔Ｆｃに取り付けてマスクとして使用する第１状態Ｓｔ１とすることができる。また、図６に示すように、本実施形態にかかる保護衣料Ａは、使用者Ｕｓの首Ｎｃに巻きつけて首巻として使用する第２状態Ｓｔ２とすることができる。なお、詳細は後述するが、本実施形態にかかる保護衣料Ａは、使用者Ｕｓの顔Ｆｃまたは首Ｎｃに取り付けた状態で、第１状態Ｓｔ１と第２状態Ｓｔ２とに状態変更が可能である。
【００２４】
保護衣料Ａの詳細について、説明する。図２に示す保護衣料Ａは、紙面手前側が背面側である。そして、図３に示す通り保護衣料Ａの背面側が、使用者Ｕｓ側になる。図１、図２に示すように、保護衣料Ａは、本体部１と、接合部材２と、当て部材３と、を有する。本体部１は、伸縮性を有するシート状である。なお、シートとは、薄板状の部材である。
【００２５】
＜１．  本体部１について＞
図１、図２に示すように、本体部１は、左右方向が長い長尺上の部材である。なお、以下の説明において、図２に示す状態を基準として、本体部１の左右上下の端部をそれぞれ、左端部１Ｌ、右端部１Ｒ、上端部１Ｕおよび下端部１Ｄとする。
【００２６】
図２に示すように、本体部１は、使用者Ｕｓから見て、上下に延びる中心軸Ｃｘを挟んで線対称の形状である。本体部１の上端部１Ｕは、左右方向の中央部に向かうにつれて上方に盛り上がっている。保護衣料Ａは第１状態Ｓｔ１のとき、上端部１Ｕの中央（第２領域１２）が使用者Ｕｓの鼻Ｎｓの上部に配置される（図４等参照）。
【００２７】
図４に示すように、第１状態Ｓｔ１において、本体部１（主に、第１領域１１）は、口Ｍｔおよび鼻Ｎｓの前方を覆う。このとき、本体部１が使用者Ｕｓの顔Ｆｃの凹凸に合わせて接触できるように、変形可能であることが好ましい。つまり、本体部１は、伸縮性を有する。
【００２８】
ここで、伸縮性とは、可逆的に伸長する特性である。例えば、一部を把持して一方に引っ張ったときに、引っ張った方向に部材が延びるとともに、引っ張る力を取り除くと元の形状にもどる性質である。
【００２９】
保護衣料Ａは第１状態Ｓｔ１、つまり、保護衣料Ａで口Ｍｔおよび鼻Ｎｓを覆った状態で使用される場合がある。この状態において、口Ｍｔおよび（または）鼻Ｎｓでの呼吸が阻害されにくいように、本体部１の少なくとも、口Ｍｔおよび鼻Ｎｓの前面を覆う部分は、通気性を有する。すなわち、本体部１は、伸縮性を有するとともに、少なくとも一部は通気性を有する。なお、本体部１の全体が通気性を有していてもよい。
【００３０】
図１、図２等に示すように、本体部１は、第１領域１１と、第２領域１２と、第３領域１３とを有する。なお、本実施形態では、第１領域１１と第２領域１２との境界、第１領域１１と第３領域１３との境界を明確に示しているが、これに限定されない。例えば、各領域の境界部分では、徐々に特性（ここでは、伸縮性）が隣の領域の特性に近づくような構成であってもよい。
【００３１】
図１、図２に示すように、第１領域１１は、本体部１の上下方向の中央部に配置される。第１領域１１は、左右に延びる形状である。第１領域１１の上端は、左右方向中央側に向かうにつれて上方に盛り上がる盛り上がり部１１１を有する。
【００３２】
また、第１領域１１の下端は、左右方向の中央部分に向かうにつれて下方に傾斜している。この傾斜形状は、この形状に限定されない。例えば、背面視において、上下方向下方に凸の曲線状であってもよいし、左右方向両端をつなぐ直線状であってもよい。
【００３３】
図４に示すように、保護衣料Ａを第１状態Ｓｔ１としたとき、第１領域１１の左右方向中央が、口Ｍｔおよび鼻Ｎｓの前方を覆う。そのため、第１領域１１の少なくとも左右方向の中央は、通気性を有する。なお、第１領域１１全体が通気性を有してもよい。第１領域１１の全体が通気性を有することで、蒸れにくく、使用者Ｕｓの不快感を低減できる。
【００３４】
保護衣料Ａを第１状態Ｓｔ１としたとき、第１領域１１を顔Ｆｃに沿わせるため、第１領域１１の少なくとも左右方向中央は、伸縮性を有する。なお、第１領域１１全体が伸縮性を有してもよい。
【００３５】
第２領域１２は、本体部１の左端部１Ｌと右端部１Ｒとにわたって延びる帯状である。第２領域１２は、第１領域１１の上端と接続する。つまり、本実施形態の第２領域１２は、第１領域１１の上端の左右方向の全域の上端と接続する。第２領域１２は、上下方向に一定の幅を有する。第２領域１２が伸縮性を有することで、保護衣料Ａを第１状態Ｓｔ１としたとき、第２領域１２を鼻Ｎｓの上部に配置させることができる。なお、第２領域１２も通気性を有していてもよい。第２領域１２が通気性を有することで、蒸れにくく、使用者Ｕｓの不快感を低減できる。
【００３６】
第３領域１３は、本体部１の左端部１Ｌと右端部１Ｒとにわたって延びる帯状である。第３領域１３は、第１領域１１の下端と接続する。つまり、本実施形態の第３領域１３は、第１領域１１の下端の左右方向の全域の下方に配置される。第３領域１３は、上下方向に一定の幅を有する。そして、第３領域１３が伸縮性を有することで、保護衣料Ａを第１状態Ｓｔ１としたとき、第３領域１３を顎Ｊｗの下方に配置させることができる。なお、第３領域１３も通気性を有していてもよい。第３領域１３が通気性を有することで、蒸れにくく、使用者Ｕｓの不快感を低減できる。
【００３７】
＜２．  接合部材２について＞
図１、図２等に示すように、接合部材２は、接合部材２は、接合部２１と、被接合部２２とを有する。接合部材２は、接合部２１を被接合部２２に圧接することで、接合部２１と被接合部２２とが接合状態になる。また、接合部２１を被接合部２２から引きはがすことで分離される。
【００３８】
図１、図２等に示すように、接合部２１は、本体部１の右端部１Ｒの裏面に取り付けられる。被接合部２２は本体部１の左端部１Ｌの表面に取り付けられる。被接合部２２は、平面視において長方形状であり、左右方向が長手方向となるように本体部１に取り付けられる。本実施形態において、接合部２１および被接合部２２は、第１領域１１に配置されているが、これに限定されず、少なくとも一方は、少なくとも一部が第２領域１２または第３領域１３に配置されてもよい。
【００３９】
本実施形態の保護衣料Ａにおいて、接合部材２は、面ファスナである。そして、接合部２１は、複数の先端を折り曲げたフック部を有するワイヤ状の樹脂を植え付けた構成、いわゆる、フック側あるいは雄側と呼ばれる。被接合部２２は、複数のループ状の細い繊維を表面に植え付けた構成を有する構成、いわゆる、ループ側あるいは雌側と呼ばれる。
【００４０】
被接合部２２のループ状の繊維に接合部２１のワイヤ状の樹脂の先端のフック部を引っ掛けることで、接合部２１と被接合部２２とが接合状態となる。また、接合部２１と被接合部２２とを引きはがすことで、接合部２１と被接合部２２とが分離状態となる。なお、本実施形態では、接合部材２として、面ファスナを採用しているが、これに限定されない。例えば、カギホック、スナップボタン、ボタン等、接合部２１と被接合部２２との接合位置を調整可能な構成を広く採用できる。
【００４１】
＜３．  当て部材３について＞
図２に示すように、当て部材３は第１領域１１の背面に着脱可能に取り付けられる。第１領域１１の背面には、当て部材３を配置するための背面ポケット１１２を有する。図２に示すように、当て部材３は、六角形状である。当て部材３は、保護衣料Ａが第１状態Ｓｔ１のとき、口Ｍｔおよび鼻Ｎｓの前面を覆う。
【００４２】
図２に示すように、保護衣料Ａにおいて背面ポケット１１２は、６角形の一部の辺縁部を収納できる形状である。そして、背面ポケット１１２は、図２中上側に開口を有する。そのため、当て部材３は、上方から背面ポケット１１２に装着可能である。
【００４３】
本実施形態において、背面ポケット１１２は凹形状である。そのため、背面ポケット１１２に当て部材３を装着して保護衣料Ａを第１状態Ｓｔ１に顔Ｆｃに取り付けたとき、口Ｍｔおよび鼻Ｎｓを当て部材３に直接接触させることができる。
【００４４】
本実施形態の保護衣料Ａにおいて、当て部材３は凹形状の背面ポケット１１２を用いているが、これに限定されない。例えば、両面テープを用いて、当て部材３を本体部１の第１領域１１の背面に貼り付けるようにしてもよい。また、いわゆる、ボタン、スナップボタン、面ファスナを用いて当て部材３を本体部１の第１領域１１に着脱可能に取り付けるようにしてもよい。
【００４５】
つまり、本実施形態にかかる保護衣料Ａは、口Ｍｔおよび鼻Ｎｓと接触する当て部材３を容易に取り換え可能である。これにより、保護衣料Ａの口Ｍｔおよび鼻Ｎｓと接触する部分を衛生的に保つことが可能である。また、保護衣料Ａ全体を洗濯等により、清浄化する場合に比べて、簡単に保護衣料Ａの衛生状態を維持できる。
【００４６】
なお、当て部材３は、滅菌ガーゼ等を挙げることができる。これにより、口Ｍｔおよび鼻Ｎｓと接触する部分の衛生状態を高く保つことが可能である。また、当て部材３として、除菌、消臭効果を有するシートを用いてもよい。さらには、当て部材３として、花粉、粉じん、微小粒子状物質（いわゆる、ＰＭ２．５）等を捕集可能なシート状のフィルタを用いてもよい。
【００４７】
保護衣料Ａは、後述のとおり、装着した状態で、口Ｍｔおよび鼻Ｎｓを覆う第１状態Ｓｔ１（図４参照）と、首Ｎｃに巻きつけた第２状態Ｓｔ２（図６参照）とに、状態を変化させることができる。例えば、保護衣料Ａを第２状態Ｓｔ２で主に使用する、複数の保護衣料Ａを洗い替えとして使用する、特に衛生状態が気にならない等の場合がある。このように、保護衣料Ａの口Ｍｔおよび鼻Ｎｓに接触する部分の衛生状態を気にしなくて良い場合、当て部材３を取り付けない状態で使用してもよい。この場合、背面ポケット１１２を省略してもよい。
【００４８】
＜４．  保護衣料Ａの使用方法について＞
本実施形態にかかる保護衣料Ａは上述したような構成を有している。次に、本実施形態にかかる保護衣料Ａの使用方法について新たな図面を参照して説明する。
【００４９】
図３に示すように、使用者Ｕｓは、顔Ｆｃおよび首Ｎｃの前方に保護衣料Ａの左右中央を位置させる。そして、図４に示すように、第１領域１１の左右中央部分で口Ｍｔおよび鼻Ｎｓを覆う。このとき、第２領域１２が鼻Ｎｓの上部に位置し、第３領域１３が顎Ｊｗの下方に位置する。そして、図５に示すように、本体部１の右端部１Ｒおよび左端部１Ｌを、首Ｎｃのそれぞれ右および左から首Ｎｃの背後に回す。首Ｎｃの背後で、右端部１Ｒの先端を左端部１Ｌの先端の表側に重ねる。
【００５０】
このとき、接合部２１が被接合部２２に押し当てられて、接合部材２が接合する。これにより、本体部１は、右端部１Ｒの先端と左端部１Ｌの先端が首Ｎｃの背後で接合されて、保護衣料Ａは、環状となるとともに、第１領域１１の左右中央が使用者Ｕｓの前方を覆う。すなわち、保護衣料Ａは第１状態Ｓｔ１となる。
【００５１】
本実施形態において、保護衣料Ａが第１状態Ｓｔ１のとき、本体部１の第３領域１３は、使用者Ｕｓの顎Ｊｗの下部に配置される。このとき、第３領域１３が伸ばされることにより発生する弾性力で第３領域１３は顎Ｊｗの下方にしっかり係合される。なお、第３領域１３は、第１領域１１が口Ｍｔの前方を覆うことができるように口Ｍｔよりも下であれば、顎Ｊｗよりも上に配置されてもよい。このように配置することができれば、第３領域１３は、口Ｍｔの下方に配されていればよい。
【００５２】
図１、図２に示すように、接合部材２の被接合部２２は長方形状の部材であり、接合部２１は被接合部２２の表面（ループが形成されている面）の任意場所で接合可能である。つまり、接合部２１の被接合部２２と接合する場所が変更可能である。そして、被接合部２２は、長手方向が左右方向となっている。接合部２１の被接合部２２に取り付ける位置を変更することで、接合部２１と被接合部２２とを互いに接合させて形成された本体部１の環状（図４、図５、図６参照）の大きさを変更できる。例えば、保護衣料Ａを使用者Ｕｓの顔Ｆｃに第１状態Ｓｔ１で取り付けるとき、使用者Ｕｓの顔Ｆｃおよび首Ｎｃの大きさに合わせて調整が可能である。また、接合部２１の被接合部２２に接合する部分を変更することで、保護衣料Ａの使用者Ｕｓの顔Ｆｃへの密着度を調整できる。
【００５３】
本実施形態にかかる保護衣料Ａが第１状態Ｓｔ１であるとき、本体部１の第１領域１１の左右方向中央部は、口Ｍｔおよび鼻Ｎｓを覆い、呼吸時の口Ｍｔおよび鼻Ｎｓから異物が混入することを抑制できる。保護衣料Ａが第１状態Ｓｔ１であるとき、保護衣料Ａは、いわゆる、サージカルマスクとしての役割を果たす。なお、保護衣料Ａが第１状態Ｓｔ１であるとき、保護衣料Ａで覆われた顔Ｆｃの下部の紫外線曝露、すなわち、日焼けを抑制する、日よけマスクとして用いられる場合もある。
【００５４】
つまり、本実施形態の保護衣料Ａは、第１状態Ｓｔ１にあるとき、多種の目的に用いることが可能である。例えば、サージカルマスクとして利用する場合には、呼吸が多少しにくくなっても、異物の混入を抑制する方が好ましい。また、日よけマスクとして利用する場合には、異物の混入を抑制する効果を低減させても呼吸が楽であることが好ましい。そのため、本体部１の左右方向中央部分の通気性は、使用目的に応じて異なっていてもよい。また、ある程度、通気性が高い材料で形成しておき、サージカルマスクとして利用するときにだけ、当て部材３を用いるようにしてもよい。
【００５５】
上述したとおり、本体部１は、伸縮可能である。そのため、保護衣料Ａが第１状態Ｓｔ１にあるときに、引っ張られたときに、本体部１が伸縮して接合部材２は分離されない。そして、本体部１の第１領域１１および第２領域１２を伸縮させつつ、下方に移動させることで、本体部１の全体を使用者Ｕｓの顎Ｊｗよりも下方に移動させることができる。これにより、保護衣料Ａは、本体部１を使用者Ｕｓの首Ｎｃに巻きつけた第２状態Ｓｔ２となる。保護衣料Ａは、使用者Ｕｓの首Ｎｃを覆う、いわゆる、ネックウォーマあるいはアスコットタイ等の首巻として使用される。また、首Ｎｃに巻きつける構成であれば、保護衣料Ａの使用目的は、ネックウォーマおよびアスコットタイに限定されない。
【００５６】
本実施形態では、保護衣料Ａを図４に示す第１状態Ｓｔ１として使用者Ｕｓの顔Ｆｃに取り付けた後、首Ｎｃの周囲に巻きつけた状態の第２状態Ｓｔ２に状態を変更することを説明したが、これに限定されない。保護衣料Ａを、まず、首Ｎｃに巻きつけた第２状態Ｓｔ２とした後、本体部１の上端部１Ｕを鼻Ｎｓの上方に引き上げて第１状態Ｓｔ１に状態変化させるようにしてもよい。すなわち、本実施形態の保護衣料Ａでは、接合部材２で本体部１の両端を首Ｎｃの背後で固定したまま、第１状態Ｓｔ１から第２状態Ｓｔ２に、または、その逆に状態を変更することができる。
【００５７】
保護衣料Ａを第１状態Ｓｔ１で取り付けるときに、本体部１はある程度伸ばされた状態で取り付けられる。これにより、第１領域１１の伸びによる弾性力で第１領域顔Ｆｃの口Ｍｔおよび鼻Ｎｓの周囲に密着する。また、第２領域１２は、鼻Ｎｓの上部に配置される。そのため、第２領域１２の弾性率を第１領域１１の弾性率よりも大きくしている。つまり、第２領域１２は、第１領域１１が顔Ｆｃに密着するときの力よりも強い力で鼻Ｎｓの上部を含む顔Ｆｃに密着する。
【００５８】
これにより、保護衣料Ａは、本体部１の上端部１Ｕが、鼻Ｎｓの下方にずれにくく、保護衣料Ａを第１状態Ｓｔ１にしっかり配置させることができる。また、本体部１の上端部１Ｕと顔Ｆｃとの隙間が形成されにくい。そして、第１領域１１および第２領域１２は、第１領域１１および第２領域１２が使用者Ｕｓの顎Ｊｗを超えることができる程度に伸縮可能である。
【００５９】
すなわち、本体部１の第１領域１１は、顔Ｆｃの口Ｍｔおよび鼻Ｎｓを含む下部の前面に密着できる弾性率であるとともに、顎Ｊｗを超えることができるように変形可能である。また、本体部１の第２領域１２は、鼻Ｎｓの上方を保護衣料Ａの上部が下方にずれることを抑制できる程度に締め付けることができる弾性率であるとともに、顎Ｊｗを超えることができるように変形可能である。本実施形態にかかる保護衣料Ａが、帯状の本体部１の左右両端を顔Ｆｃまたは首Ｎｃの背後固定する構成であることで、従来の耳に引っ掛ける紐状の係合部を有するマスクに比べて、使用者の耳等の負担を無くすことができる。
【００６０】
そして、第３領域１３は、第１領域よりも大きい弾性率で形成される。第３領域１３の弾性率を第１領域１１よりも大きくすることで、保護衣料Ａを第１状態Ｓｔ１にしたときに、第３領域１３は顎Ｊｗの下方にしっかり取り付けできる。つまり、第３領域１３の弾性率は、例えば、保護衣料Ａの下端部１Ｄが上方にずれにくくなる程度に顎Ｊｗの下方を締め付けることができる弾性率である。なお、第３領域１３の弾性率は、第１領域１１の弾性率と同一であってもよい。つまり、本体部１から第３領域１３を省略してもよい。すなわち、保護衣料Ａの本体部１は、少なくとも、第１領域１１および第２領域１２を有していればよい。
【００６１】
ここで、一般的な人の鼻Ｎｓの上部をとおり顔の背後に回る長さは、首回りの長さよりも長い。そのため、本実施形態にかかる保護衣料Ａの本体部１において、第２領域１２の長さは、第３領域１３よりも長く形成される。
【００６２】
そして、本実施形態の保護衣料Ａが第２状態Ｓｔ２にあるとき、第２領域１２の首Ｎｃを締め付ける力は、第３領域１３が首Ｎｃを締め付ける力よりも弱い。そのため、保護衣料Ａを第１状態Ｓｔ１から第２状態Ｓｔ２に変更した場合、第２領域１２（上端部１Ｕ）は首Ｎｃを締め付けないか、締め付ける場合でも、第３領域１３（下端部１Ｄ）が首Ｎｃを締め付ける力よりも弱い。
【００６３】
保護衣料Ａを第２状態Ｓｔ２に取り付けたあるいは第１状態Ｓｔ１から第２状態Ｓｔ２に状態を変化させた場合、保護衣料Ａの本体部１の締め付けによって使用者Ｕｓが不快感を覚えにくい。また、本実施形態にかかる保護衣料Ａは、不快感を覚えにくい第２状態Ｓｔ２から第１状態Ｓｔ１に状態を変化させたとき、第２領域１２が鼻Ｎｓの上部から下方にずれにくい。つまり、本実施形態にかかる保護衣料Ａは、使用者の利便性を高めることが可能である。
【００６４】
以上示した、本実施形態にかかる保護衣料Ａをまとめると以下のとおりである。本実施形態の保護衣料Ａは、第１状態Ｓｔ１（図４参照）から、本体部１の第１領域１１および第２領域１２を顎Ｊｗの下方に移動させることで、第２状態Ｓｔ２（図６参照）に状態を変更できる。また、本実施形態にかかる保護衣料Ａは、第２状態Ｓｔ２（図６参照）から、本体部１の第１領域１１および第２領域１２を上方に移動させて、第２領域１２を鼻Ｎｓの上方配置する第１状態Ｓｔ１（図４参照）に状態を変更できる。つまり、本実施形態の保護衣料Ａでは、接合部材２を首Ｎｃの背後で接合させて、本体部１の右端部１Ｒと左端部１Ｌとを固定した状態で、本体部１の第１領域１１および第２領域１２を上下に移動させて、上述した第１状態Ｓｔ１と第２状態Ｓｔ２とに状態変化させることができる。
【００６５】
＜５．  第１変形例＞
図７は、本発明にかかる保護衣料Ｂの変形例の背面図である。図７に示す保護衣料Ｂでは、本体部１ｂの第２領域１４および第３領域１５が、保護衣料Ａの本体部１の第１領域１１および第２領域１２と異なる。これ以外の点について、保護衣料Ｂは、保護衣料Ａと同じ構成を有する。そのため、保護衣料Ｂの保護衣料Ａと実質上同じ部分について、同じ符号を付すとともに同じ部分についての詳細な説明は省略する。
【００６６】
図７に示す保護衣料Ｂのように、第２領域１４は、第１領域１１の盛り上がり部１１１の上部の上下方向の幅が左右両端部よりも広く構成されている。さらに説明すると、第２領域１４の形状は、上端部１４Ｕと下端部１４Ｄとが左右の両端それぞれで合流する形状である。保護衣料Ｂを第１状態Ｓｔ１としたとき、本体部１ｂの最も変形する鼻Ｎｓの上部に配置される部分に第２領域１４が形成されることで、本体部１ｂの上端部１Ｕｂを鼻Ｎｓの上部にしっかり接触させることが可能である。そして、第２領域１２は、第１領域１１の上端の一部に接続する形状であってもよい。例えば、盛り上がり部１１１の上端にのみ接続する形状であってもよい。
【００６７】
また、図７に示す保護衣料Ｂのように、第３領域１５の形状は、上端部１５Ｕとした端部１５Ｄとが左右の両端それぞれで合流する形状である。そして、第３領域１５は、第１領域１１の下端の一部の下方に配置される形状であってもよい。
【００６８】
このような構成の保護衣料Ｂであっても、保護衣料Ａと同様の効果を有する。
【００６９】
＜６．  第２変形例＞
図８は、本発明にかかる保護衣料の変形例の背面図である。図９は、当て部材を保護衣料に取り付けている状態を示す背面図である。図８に示す保護衣料Ｃでは、当て部材４が当て部材３と異なる。そして、本体部１ｃには、当て部材４を保持する保持部１６が設けられている。これ以外の点において、保護衣料Ｃは、図１、図２等に示す保護衣料Ａと同じ構成を有する。そのため、保護衣料Ｃの実質上、保護衣料Ａと同じ部分には、同じ符号を付すとともに、同じ部分に詳細な説明は省略する。
【００７０】
図８に示すように、当て部材４は、本体部４１と、係合凹部４２と、係合部４３とを有する。本体部４１は左右両端側に向かうにつれて上下の幅が狭くなる形状である。連結凹部４２は、上下対をなしている。すなわち、係合凹部４２は、本体部４１の上縁から下方に凹む第１凹部４２１と下縁から上方に凹む第２凹部４２２とを有する。そして、係合凹部４２は、本体部４１の左右両端部の近傍に、中心線Ｃｘを挟んで対称に設けられる。また、本体部４１の左右両端の係合凹部４２よりも先端側が係合部４３である。係合部４３は、上下に延びる長尺上である。
【００７１】
当て部材４は、当て部材３と同様、保護衣料Ｃの本体部１ｃの背面に取り付けられる。保護衣料Ｃの本体部１ｃの背面には、当て部材４を保持するための一対の保持部１６が設けられている。図９に示すように、保持部１６は、弾性変形可能なひも状の部材である。図８に示すように、各保持部１６は、本体部１ｃとの接触部分が上下に並んでおり、本体部１の背面にループを形成して取り付けられている。また、各保持部１６の本体部１ｃと接続する部分の距離は、当て部材４の係合部４３の長さよりも短い。一対の保持部１６は、それぞれ、当て部材４の左右の係合凹部４２に係合できる位置に取り付けられている。
【００７２】
図８に示すように、左右の保持部１６をそれぞれ、当て部材４の左右の係合凹部４２に係合させる。保持部１６よりも左右方向外側に、保持部１６よりも上下に長い係合部４３が配置されるため、当て部材４は左右両方向への移動が制限される。これにより、当て部材４は、左右に配された一対の保持部１６によって、しっかり保持され、脱落しにくい。
【００７３】
例えば、図９に示すように、保護部材Ｃでは、係合部４３を一方の保持部１６のループに引っ掛けて、保持部１６を延ばす。これにより、係合部４３の上下方向反対側も同じ保持部１６のループに入れることができる。そして、反対側の保持部１６を手等で変形させて、保持部１６のループの内部に係合部４３を差し込むことで、当て部材４を取り付けることが可能である。このような構成とすることで、例えば、飛び跳ねたりした場合でも、当て部材４が脱落しにくい。
【００７４】
また、本変形例では、当て部材４の両端に係合凹部４２を設けているが、これに限定されない。例えば、図１０に示す当て部材４ａのように、一方にのみ係合凹部４２を設け、他方は、係合凹部と同じかそれよりも凹み量が少ない段差４４にした形状であってもよい。このような構成とすることで、段差４４の部分を先に、一方の保持部１６のループに挿入し、その後、反対側の保持部１６を手等で伸ばして、ループの内部に係合部４３を挿入すればよい。
【００７５】
このよう構成であっても、上下方向のずれは、係合凹部４２及び段差４４が保持部１６と接触することで制限され、左右方向の移動は、係合部４３によって制限される。そのため、両側に係合凹部４２有する構成と同等の効果を得ることができる。また、段差４４が挿入される側の保持部１６は、先端側に係合部４３がないため、弾性変形しなくてもよい。
【００７６】
以上、本発明の実施形態につき説明したが、本発明の範囲はこれに限定されるものではなく、発明の主旨を逸脱しない範囲で種々の変更を加えて実施することができる。また、上記実施形態とその変形例は適宜任意に組み合わせることができる。
【符号の説明】
【００７７】
Ａ      保護衣料
１      本体部
１１      第１領域
１１１      盛り上がり部
１１２      背面ポケット
１２      第２領域
１３      第３領域
２      接合部材
２１      接合部
２２      被接合部
３      当て部材
４      当て部材
４１      本体部
４２      係合凹部
４３      係合部
４ａ    当て部材
４４      段差
Ｂ      保護衣料
１４      第２領域
１５      第３領域
１６      保持部
Ｆｃ      顔
Ｊｗ      顎
Ｍｔ      口
Ｎｃ      首
Ｎｓ      鼻
Ｕｓ      使用者
【図１】
2020193394.tif 000003
【図２】
2020193394.tif 000004
【図３】
2020193394.tif 000005
【図４】
2020193394.tif 000006
【図５】
2020193394.tif 000007
【図６】
2020193394.tif 000008
【図７】
2020193394.tif 000009
【図８】
2020193394.tif 000010
【図９】
2020193394.tif 000011
【図１０】
2020193394.tif 000012